(57)【要約】【課題】本発明は管理対象の機器のネットワークへの接続を容易とするサーバ装置の提供を目的とする。【解決手段】サーバ装置１００は制御部１０３と、通信部１０１と、記憶部１０２と、を備え、記憶部１０２には、ネットワーク２００に接続されうる機器の登録名のリストが予め記憶されており、通信部１０１は、ネットワーク２００に接続された機器から自己紹介通知を受け、制御部１０３は、自己紹介通知に含まれる機器の一意識別子を取得し、リストにおいて当該一意識別子と対応付けられている登録名が無い場合に、リストにおいてどの一意識別子とも対応付けられていない全ての登録名を、自己紹介通知の送信元の機器に選択可能に表示させるための信号を、通信部１０１を介して機器に送信し、表示させた登録名のいずれかが選択されると、当該登録名と、取得した一意識別子とを対応付けてリストを更新することにより、当該機器を管理対象とすることを特徴とする。【選択図】図１
2014138350.tif 000002
【特許請求の範囲】
【請求項１】
ネットワークを介して管理対象の機器と接続されるサーバ装置であって、
制御部と、
通信部と、
記憶部と、
を備え、
前記記憶部には、前記ネットワークに接続されうる前記機器の登録名のリストが予め記憶されており、
前記通信部は、前記ネットワークに接続された前記機器から自己紹介通知を受け、
前記制御部は、前記自己紹介通知に含まれる前記機器の一意識別子を取得し、
前記リストにおいて当該一意識別子と対応付けられている前記登録名が無い場合に、
前記リストにおいてどの前記一意識別子とも対応付けられていない全ての前記登録名を、前記自己紹介通知の送信元の前記機器に選択可能に表示させるための信号を、前記通信部を介して前記機器に送信し、
表示させた前記登録名のいずれかが選択されると、当該登録名と、取得した前記一意識別子とを対応付けて前記リストを更新することにより、当該機器を管理対象とすることを特徴とする、
サーバ装置。
【請求項２】
前記機器は表示機器であり、
前記制御部は、前記表示機器に任意の画像の表示を行わせることを特徴とする、
請求項１に記載のサーバ装置。
【請求項３】
前記自己紹介通知の送信元の前記機器が表示部を有さない場合、前記制御部は、前記ネットワークに接続された表示部を有する前記機器に、前記登録名を選択可能に表示させることを特徴とする、
請求項１に記載のサーバ装置。
【請求項４】
前記自己紹介通知は、ＵＰｎＰ（Ｕｎｉｖｅｒｓａｌ Ｐｌｕｇ ａｎｄ Ｐｌａｙ）で規定されるプロトコルにより行われ、
前記一意識別子は、ＭＡＣ（Ｍｅｄｉａ Ａｃｃｅｓｓ Ｃｏｎｔｒｏｌ）アドレスであることを特徴とする、
請求項１〜３のいずれかに記載のサーバ装置。
【請求項５】
前記登録名は、前記機器の設置場所を表す言葉であることを特徴とする、
請求項１〜４のいずれかに記載のサーバ装置。
【請求項６】
前記信号は、ＨＴＭＬで記述されたデータであることを特徴とする、
請求項１〜５のいずれかに記載のサーバ装置。
【請求項７】
サーバ装置の管理対象の機器と前記サーバ装置とのネットワーク接続の方法であって、
前記サーバ装置において、
前記ネットワーク接続されうる前記機器の登録名のリストを予め記憶するステップと、
前記ネットワーク接続された前記機器から自己紹介通知を受け取るステップと、
当該自己紹介通知に含まれる一意識別子を取得するステップと、
前記リストにおいて当該一意識別子と対応付けられている前記登録名が無い場合に、前記リストのうち、どの前記一意識別子とも対応付けられていない全ての前記登録名を、前記自己紹介通知の送信元の前記機器に選択可能に表示させるための信号を前記機器に送信するステップと、
表示させた前記登録名のいずれかが選択されると、当該登録名と、前記取得した前記一意識別子とを対応付けて前記リストを更新することにより、当該機器を管理対象とするステップと、
を備える、
ネットワーク接続の方法。
【発明の詳細な説明】
【技術分野】
【０００１】
本発明はサーバ装置およびネットワーク接続の方法に関し、特にネットワークを介して管理対象の機器と接続されるサーバ装置に関する。
【背景技術】
【０００２】
サーバ装置に、複数の端末機器をネットワーク接続したサーバシステムにおいて、サーバ装置側から端末機器に識別番号を割り当てることにより、端末機器を管理する技術が知られている（例えば特許文献１参照）。
【０００３】
具体的には、サーバ装置のホストファイルには、各端末機器のＩＰアドレスと、端末機器に割り当てる識別番号を含む端末ホスト名とが予め記憶されている。サーバ装置は、端末機器が接続されると、端末機器のＩＰアドレスを取得して、ホストファイルを参照することにより、端末機器に識別番号を割り当てる。
【０００４】
また、サーバ装置に、ネットワークを介して異なる場所に設置された多数の表示機器を接続し、サーバ装置からこれらの表示機器に画像や映像を表示させるデジタルサイネージが知られている。デジタルサイネージは例えば、商業施設や駅などにおいて広告表示等に用いられる。
【先行技術文献】
【特許文献】
【０００５】
【特許文献１】特開平１１−１２７１７５号公報
【発明の概要】
【発明が解決しようとする課題】
【０００６】
例えば、上述のデジタルサイネージにおいて、表示機器の設置を行う際に、従来、作業者は表示機器を識別するための識別番号と、設置場所と、表示機器のＩＰアドレスとの関係を表す情報を参照しながら、ネットワークへの接続作業を行う必要があった。識別番号は数字の羅列であるため、作業者にとって接続作業は容易でなく、時間がかかった。
【０００７】
本発明は以上のような課題を解決するためになされたものであり、管理対象の機器のネットワークへの接続を容易とするサーバ装置の提供を目的とする。
【０００８】
また、本発明は、管理対象の機器のサーバ装置への接続が容易な、ネットワーク接続の方法の提供を目的とする。
【課題を解決するための手段】
【０００９】
本発明に係るサーバ装置は、ネットワークを介して管理対象の機器と接続されるサーバ装置であって、制御部と、通信部と、記憶部と、を備え、記憶部には、ネットワークに接続されうる機器の登録名のリストが予め記憶されており、通信部は、ネットワークに接続された機器から自己紹介通知を受け、制御部は、自己紹介通知に含まれる機器の一意識別子を取得し、リストにおいて当該一意識別子と対応付けられている登録名が無い場合に、リストにおいてどの一意識別子とも対応付けられていない全ての登録名を、自己紹介通知の送信元の機器に選択可能に表示させるための信号を、通信部を介して機器に送信し、表示させた登録名のいずれかが選択されると、当該登録名と、取得した一意識別子とを対応付けてリストを更新することにより、当該機器を管理対象とすることを特徴とする。
【００１０】
本発明に係るネットワーク接続の方法は、サーバ装置の管理対象の機器とサーバ装置とのネットワーク接続の方法であって、サーバ装置において、ネットワーク接続されうる機器の登録名のリストを予め記憶するステップと、ネットワーク接続された機器から自己紹介通知を受け取るステップと、当該自己紹介通知に含まれる一意識別子を取得するステップと、リストにおいて当該一意識別子と対応付けられている登録名が無い場合に、リストのうち、どの一意識別子とも対応付けられていない全ての登録名を、自己紹介通知の送信元の機器に選択可能に表示させるための信号を機器に送信するステップと、表示させた登録名のいずれかが選択されると、当該登録名と、取得した一意識別子とを対応付けてリストを更新することにより、当該機器を管理対象とするステップと、を備える。
【発明の効果】
【００１１】
本発明に係るサーバ装置によれば、サーバ装置は自己紹介通知を受けた機器の表示部に、登録名の候補を選択可能に表示させる。よって、機器の設置作業者は、機器の表示部に選択可能に表示される登録名の中から、設置する機器に対応する登録名を選択するだけで、機器をネットワークに容易に接続することができるため、設置作業の正確性が向上し、また設置作業に要する時間も短縮される。
【００１２】
本発明に係るネットワーク接続の方法によれば、機器の設置を行う作業者は、機器の表示部に選択可能に表示される機器名の中から、設置する機器に対応する登録名を選択するだけで、機器をネットワークに容易に接続することができるため、設置作業の正確性が向上し、また設置作業に要する時間も短縮される。
【図面の簡単な説明】
【００１３】
【図１】実施の形態１に係るサーバ装置と管理対象の機器の模式図である。
【図２】実施の形態１に係る管理対象の機器の機能ブロック図である。
【図３】実施の形態１に係る登録名のリストを示す図である。
【図４】実施の形態１に係るサーバ装置の動作を示すフローチャートである。
【図５】実施の形態１に係る第３の機器の表示部の表示を示す図である。
【図６】実施の形態１に係る更新されたリストを示す図である。
【図７】実施の形態１に係る第４の機器の表示部の表示を示す画面である。
【図８】実施の形態１に係る更新されたリストを示す図である。
【発明を実施するための形態】
【００１４】
＜実施の形態１＞
＜構成＞
図１に、本実施の形態におけるサーバ装置１００と管理対象の機器との接続関係の模式図を示す。サーバ装置１００と管理対象の機器である第１、２の機器１，２は、ネットワーク２００を介して接続されている。また、第３、第４の機器３，４はネットワーク２００に未接続であるとする。ネットワーク２００は、例えば無線ＬＡＮである。
【００１５】
サーバ装置１００は、ネットワーク２００を介して管理対象の機器と通信を行う通信部１０１と、後述するリストを記憶する記憶部１０２を備える。また、サーバ装置１００はさらに、通信部１０１と記憶部１０２の動作を制御する制御部１０３を備える。
【００１６】
図２（ａ）に、第１の機器１の機能ブロック図を示す。第１の機器１は、画像や映像を表示するための表示部１０と、ネットワーク２００を介してサーバ装置１００と通信を行う通信部２０を備える。また、第１の機器１はさらに、表示部１０と通信部２０の動作を制御する制御部３０を備える。なお、第２〜４の機器２，３，４の構成は第１の機器１と同じであるため、説明を省略する。
【００１７】
本実施の形態において、第１〜４の機器１，２，３，４は表示装置であるとする。また、管理対象の機器の個数は４である必要は無く、任意の個数でよい。
【００１８】
第１〜４の機器１，２，３，４の例えば通信部には、図１に示す様に、一意識別子としてＭＡＣ（Ｍｅｄｉａ Ａｃｃｅｓｓ Ｃｏｎｔｒｏｌ）アドレスが記憶されている。また、通信部にはＩＰアドレスが予め設定されている。各機器（即ち第１〜４の機器１，２，３，４）へのＩＰアドレスの設定は手動で行われるか、もしくはＡＰＩＰＡ（Ａｕｔｏｍａｔｉｃ  Ｐｒｉｖａｔｅ  ＩＰ  Ａｄｄｒｅｓｓｉｎｇ）等により自動的に行われる。
【００１９】
第１、２の機器１，２は、１階ロビーと２階受付のそれぞれに既に設置されネットワーク２００に接続されている。一方、第３、４の機器３，４は、会議室と催事場のそれぞれに設置される予定である。
【００２０】
サーバ装置１００の記憶部１０２には、第１〜４の機器１，２，３，４の登録名のリスト（図３）が予め記憶されている。本実施の形態において、登録名は、その機器の設置場所を表す言葉であるとする。例えば、図３に示すように、第１〜４の機器１，２，３，４の登録名は、それぞれ１階ロビー、２階受付、会議室、催事場となっており、登録名から、その機器がどこに設置されているか（もしくは設置される予定か）を使用者が認識することが可能である。
【００２１】
登録名のリストにおいて、その登録名に機器のＭＡＣアドレスとＩＰアドレスが対応付けられて記載される。ＭＡＣアドレスおよびＩＰアドレスが空白の場合、その登録名に対応する機器が管理対象の機器でないことを意味する。例えば、図３のリストによれば、会議室と催事場に設置される予定の第３、４の機器３，４は、ネットワーク２００に未接続であり、管理対象ではない。
【００２２】
＜動作＞
図１の状態、即ち、サーバ装置１００に第１、２の機器１，２がネットワーク接続されている状態において、さらにサーバ装置１００に第３、４の機器３，４を接続する場合について、図４のフローチャートを用いて説明する。なお、サーバ装置１００の記憶部１０２には、図３に示すリストが予め記憶されているとする。
【００２３】
まず、第３の機器３を接続する。ネットワーク２００に第３の機器３が接続されると、サーバ装置１００は、第３の機器３から自己紹介通知を受信する（ステップＳ１０１）。ここで、自己紹介通知には、第３の機器３に記憶されているＭＡＣアドレスとＩＰアドレスが含まれている。自己紹介通知は、例えばＵＰｎＰ（Ｕｎｉｖｅｒｓａｌ Ｐｌｕｇ ａｎｄ Ｐｌａｙ）で規定されるプロトコルにより送信される。
【００２４】
次に、ステップＳ１０２においてサーバ装置１００は、受信した自己紹介通知からＭＡＣアドレスおよびＩＰアドレスを抽出する。具体的には、ＭＡＣアドレスとして５５−４４−３３−２２−１１−０３、ＩＰアドレスとして１９２．１６８．１．１２０が抽出される。
【００２５】
次に、ステップＳ１０３において制御部１０３は、抽出したＭＡＣアドレスが図３のリストに記載されているか否かの判断を行う。抽出したＭＡＣアドレスは図３のリストに記載されていないので、ステップＳ１０４へ進む。
【００２６】
ステップＳ１０４において、制御部１０３は、自己紹介通知の送信元の機器（即ち第３の機器３）に対して通信部１０１から信号を出力する。ここで、信号とは、どのＭＡＣアドレスとも対応付けられていない全ての登録名（即ち、「会議室」と「催事場」）を、自己紹介通知の送信元の機器の表示部に選択可能に表示させる信号である。なお、この信号は、例えばＨＴＭＬ（Ｈｙｐｅｒ  Ｔｅｘｔ  Ｍａｒｋｕｐ  Ｌａｎｇｕａｇｅ）で記述されたデータである。
【００２７】
すると、第３の機器３の表示部１０には、図５に示す様に「会議室」と「催事場」が選択可能に表示されるので、設置を行っている作業者は、例えばリモコン等によって、設置場所である「会議室」の表示を選択する。なお、第３の機器３にはブラウザが搭載されており、ＨＴＭＬで記述されたデータを表示することが可能であるとする。
【００２８】
「会議室」の表示が選択されると、サーバ装置１００の制御部１０３は、抽出したＭＡＣアドレスおよびＩＰアドレスと、登録名「会議室」を対応付けてリストを更新する（ステップＳ１０５）。更新されたリストを図６に示す。以上で第３の機器３は、サーバ装置１００の管理対象の機器となる。
【００２９】
次に、第４の機器４を接続する。第４の機器４がネットワーク２００に接続されると、サーバ装置１００は、上述したステップＳ１０１，Ｓ１０２，Ｓ１０３，Ｓ１０４と同様の動作を行い、第４の機器４の表示部１０に、登録名「催事場」を選択可能に表示させる（図７）。
【００３０】
第４の機器４の表示部に表示された「催事場」が作業者により選択されると、サーバ装置１００の制御部１０３は、抽出したＭＡＣアドレスおよびＩＰアドレスと、登録名「催事場」を対応付けてリストを更新する（ステップＳ１０５）。更新されたリストを図８に示す。以上で第４の機器４は、サーバ装置１００の管理対象の機器となる。
【００３１】
既に管理対象にある機器から自己紹介通知が送られてきた場合について説明する。これは例えば、接続されたときだけでなく、一定の時間間隔で自己紹介通知を送信するように機器が設定されている場合である。この場合、制御部１０３は、ステップＳ１０３において、抽出したＭＡＣアドレスはリストに記載されていると判断するため、ステップＳ１０６に進む。自己紹介通知の送信元の機器のＩＰアドレスがリストのＭＡＣアドレスに対応付けられたＩＰアドレスと一致する場合は、リストを更新する必要はないため、フローを終了する。
【００３２】
一方、送信元の機器のＩＰアドレスがリストのＭＡＣアドレスに対応付けられたＩＰアドレスと一致しない場合は、ＭＡＣアドレスに対応付けられたＩＰアドレスを送信元の機器のＩＰアドレスに置き換えて、リストを更新する（ステップＳ１０７）。これは、管理対象の機器のＩＰアドレスが機器側で変更された場合に発生するステップである。
【００３３】
以上の説明では、機器側でＩＰアドレスが予め設定されていたが、サーバ装置１００がＤＨＣＰ（Ｄｙｎａｍｉｃ  Ｈｏｓｔ  Ｃｏｎｆｉｇｕｒａｔｉｏｎ  Ｐｒｏｔｏｃｏｌ）により各機器にＩＰアドレスを割り当ててもよい。なお、本実施の形態では、ＩＰアドレスを利用した通信プロトコルとしてＩＰｖ４を用いて説明を行ったが、ＩＰｖ６でもよい。
【００３４】
＜効果＞
本実施の形態におけるサーバ装置１００は、ネットワーク２００を介して管理対象の機器と接続されるサーバ装置１００であって、制御部１０３と、通信部１０１と、記憶部１０２と、を備え、記憶部１０２には、ネットワーク２００に接続されうる機器の登録名のリストが予め記憶されており、通信部１０１は、ネットワーク２００に接続された機器から自己紹介通知を受け、制御部１０３は、自己紹介通知に含まれる機器の一意識別子を取得し、リストにおいて当該一意識別子と対応付けられている登録名が無い場合に、リストにおいてどの一意識別子とも対応付けられていない全ての登録名を、自己紹介通知の送信元の機器に選択可能に表示させるための信号を、通信部１０１を介して機器に送信し、表示させた登録名のいずれかが選択されると、当該登録名と、取得した一意識別子とを対応付けてリストを更新することにより、当該機器を管理対象とすることを特徴とする。
【００３５】
従って、サーバ装置１００は自己紹介通知を受けた機器の表示部に、登録名の候補を選択可能に表示させる。よって、機器の設置作業者は、機器の表示部に選択可能に表示される登録名の中から、設置する機器に対応する登録名を選択するだけで、機器を容易にネットワーク２００に接続することができるため、設置作業の正確性が向上し、また設置作業に要する時間も短縮される。
【００３６】
また、本実施の形態において、機器（即ち第１〜４の機器１，２，３，４）は表示機器であり、制御部１０３は、表示機器に任意の画像の表示を行わせることを特徴とする。
【００３７】
従って、管理対象の機器が表示機器であれば、表示機器をデジタルサイネージとして利用可能である。この用途においては、多数の表示機器を異なる場所に設置することが想定されるため、設置作業が容易となることにより、より設置作業の正確性が向上し、また設置作業に要する時間もより短縮される。
【００３８】
また、本実施の形態において、自己紹介通知は、ＵＰｎＰで規定されるプロトコルにより行われ、一意識別子は、ＭＡＣアドレスであることを特徴とする。
【００３９】
従って、既に規定されているプロトコルを用いることで、容易に自己紹介通知を行うことが可能となる。また、ＭＡＣアドレスは他の機器と重複しない識別子であるため、これを一意識別子として用いることができる。
【００４０】
また、本実施の形態におけるサーバ装置１００において、登録名は、機器の設置場所を表す言葉であることを特徴とする。
【００４１】
従って、設置場所を表す言葉を登録名とすることによって、作業者は、設置を行っている場所を示す登録名を選択すればよいため、登録名の選択が容易となり、設置作業がさらに容易になる。よって、設置作業の正確性がさらに向上し、また設置作業に要する時間もさらに短縮される。
【００４２】
また、本実施の形態におけるサーバ装置１００において、自己紹介通知の送信元の機器に出力される信号は、ＨＴＭＬで記述されたデータであることを特徴とする。
【００４３】
従って、送信元の機器にブラウザが搭載されていれば、ＨＴＭＬで記述されたデータを送信することによって、登録名を機器の表示部に選択可能に表示させることが可能である。
【００４４】
また、本実施の形態におけるネットワーク接続の方法は、サーバ装置１００の管理対象の機器とサーバ装置１００とのネットワーク接続の方法であって、サーバ装置１００において、ネットワーク接続されうる機器の登録名のリストを予め記憶するステップと、ネットワーク接続された機器から自己紹介通知を受け取るステップと、当該自己紹介通知に含まれる一意識別子を取得するステップと、リストにおいて当該一意識別子と対応付けられている登録名が無い場合に、リストのうち、どの一意識別子とも対応付けられていない全ての登録名を、自己紹介通知の送信元の機器に選択可能に表示させるための信号を機器に送信するステップと、表示させた登録名のいずれかが選択されると、当該登録名と、取得した一意識別子とを対応付けてリストを更新することにより、当該機器を管理対象とするステップと、を備える。
【００４５】
従って、設置を行う作業者は、機器の表示部に選択可能に表示される機器名の中から、設置する機器に対応する登録名を選択するだけで、機器をネットワーク２００に容易に接続することができるため、設置作業の正確性が向上し、また設置作業に要する時間も短縮される。
【００４６】
＜実施の形態２＞
実施の形態１では、管理対象の機器（即ち第１〜４の機器１，２，３，４）は表示装置であるとしたが、本実施の形態では、管理対象の機器は、例えばテレビジョン、エアコンなどの電化製品である。
【００４７】
本実施の形態における第１の機器１Ａの機能ブロック図を図２（ｂ）に示す。第１の機器１Ａは、本来機能部４０と、通信部２０と、本来機能部４０および通信部２０を制御する制御部３０を備える。本来機能部４０とは、例えば第１の機器１Ａがテレビジョンであれば放送番組を受信して表示する機能であり、エアコンであれば冷暖房機能である。第２〜４の機器２Ａ，３Ａ，４Ａは、第１の機器１Ａの構成と同じであるため、説明を省略する。
【００４８】
本実施の形態では、例えば、第１の機器１Ａはテレビジョンであり、第３の機器３Ａはエアコンであるとする。以下では、第３の機器３Ａをネットワーク２００に接続する場合について説明する。なおサーバ装置１００の動作は一部のステップを除いて実施の形態１（図４）と同じであるため、異なるステップについてのみ説明を行う。
【００４９】
図４のステップＳ１０４において、本実施の形態では、自己紹介通知の送信元の機器は、第３の機器３Ａ（エアコン）である。実施の形態１では、自己紹介通知の送信元の機器に対して信号の出力を行ったが、本実施の形態では、エアコンは表示部を備えないため、信号を受信して画面に登録名の表示を行うことができない。
【００５０】
よって、本実施の形態では、自己紹介通知の送信元の機器が表示部を備えない場合は、表示部を備える機器、例えば第１の機器１Ａ（テレビジョン）に対して、信号の出力を行う。以降のステップは実施の形態１と同じであるため、説明を省略する。
【００５１】
＜効果＞
本実施の形態におけるサーバ装置１００において、自己紹介通知の送信元の機器が表示部を有さない場合、制御部１０３は、ネットワーク２００に接続された表示部を有する機器に、登録名を選択可能に表示させることを特徴とする。
【００５２】
従って、サーバ装置１００は、表示部を有さない機器がネットワーク２００に接続されたときは、表示部を有する他の機器の表示部に登録名を選択可能に表示する。よって、表示部を有さない機器であっても、実施の形態１と同様にネットワーク２００に容易に接続することが可能である。
【００５３】
なお、本発明は、その発明の範囲内において、各実施の形態を自由に組み合わせたり、各実施の形態を適宜、変形、省略することが可能である。
【符号の説明】
【００５４】
１  第１の機器、２  第２の機器、３  第３の機器、４  第４の機器、１０  表示部、２０  通信部、３０  制御部、４０  本来機能部、１００  サーバ装置、１０１  通信部、１０２  記憶部、１０３  制御部、２００  ネットワーク。
【図１】
2014138350.tif 000003
【図２】
2014138350.tif 000004
【図３】
2014138350.tif 000005
【図４】
2014138350.tif 000006
【図５】
2014138350.tif 000007
【図６】
2014138350.tif 000008
【図７】
2014138350.tif 000009
【図８】
2014138350.tif 000010